(57)【要約】【課題】移動局ＵＥのＳＰＳ能力を考慮して、ＶｏＬＴＥを行うべきか、或いは、ＣＳＦＢを行うべきかについて判断する。【解決手段】本発明に係る移動通信方法は、無線基地局ｅＮＢが、Ｓ１-ＡＰプロトコルによって、移動局ＵＥのＳＰＳ能力を通知するための情報要素「ＳＰＳ  Ｃａｐａｂｉｌｉｔｙ」を生成する工程と、無線基地局ｅＮＢが、移動管理ノードＭＭＥに対して、生成された情報要素「ＳＰＳ  Ｃａｐａｂｉｌｉｔｙ」を含む信号「ＵＥ  ＣＡＰＡＢＩＬＩＴＹ  ＩＮＦＯ  ＩＮＤＩＣＡＴＩＯＮ」を送信する工程と、移動管理ノードＭＭＥが、情報要素「ＳＰＳ  Ｃａｐａｂｉｌｉｔｙ」及び移動局ＵＥのＩＭＳ  Ｖｏｉｃｅ通信及びＣＳＦＢへの対応の可否について示す情報に基づいて、移動局ＵＥに対して、ＶｏＬＴＥを行うべきか、或いは、ＣＳＦＢを行うべきかを通知する工程とを有する。【選択図】図３
2012104894.tif 000002
【特許請求の範囲】
【請求項１】
パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて、移動局が音声通信を行う移動通信方法であって、
前記第１無線アクセスネットワーク内の無線基地局が、該無線基地局と移動管理ノードとの間で用いられるプロトコルによって、前記移動局のセミパーシステントスケジューリングへの対応の可否について示すセミパーシステントスケジューリング能力を通知するための情報要素を生成する工程と、
前記無線基地局が、前記移動管理ノードに対して、生成された前記情報要素を含む信号を送信する工程と、
前記移動管理ノードが、前記情報要素及び前記移動局の前記パケット交換サービス及び回線交換サービスを用いた音声通信への対応の可否について示す情報に基づいて、該移動局に対して、前記第１無線アクセスネットワークにおいてパケット交換サービスを用いた音声通信を行うべきか、或いは、前記第２無線アクセスネットワークにおいて回線交換サービスを用いた音声通信を行うべきかを通知する工程とを有することを特徴とする移動通信方法。
【請求項２】
パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて用いられる該第１無線アクセスネットワーク内の無線基地局であって、
前記無線基地局と移動管理ノードとの間で用いられるプロトコルによって、移動局のセミパーシステントスケジューリングへの対応の可否について示すセミパーシステントスケジューリング能力を通知するための情報要素を生成するように構成されており、
前記移動管理ノードに対して、生成された前記情報要素を含む信号を送信するように構成されていることを特徴とする無線基地局。
【請求項３】
パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて、移動局が音声通信を行う移動通信方法であって、
前記移動局が、該移動局と移動管理ノードとの間で用いられるプロトコルによって、該移動局のセミパーシステントスケジューリングへの対応の可否について示すセミパーシステントスケジューリング能力を通知するための情報要素を生成する工程と、
前記移動局が、前記移動管理ノードに対して、生成された前記情報要素を含む信号を送信する工程と、
前記移動管理ノードが、前記情報要素及び前記移動局の前記パケット交換サービス及び回線交換サービスを用いた音声通信への対応の可否について示す情報に基づいて、該移動局に対して、前記第１無線アクセスネットワークにおいてパケット交換サービスを用いた音声通信を行うべきか、或いは、前記第２無線アクセスネットワークにおいて回線交換サービスを用いた音声通信を行うべきかを通知する工程とを有することを特徴とする移動通信方法。
【請求項４】
パケット交換サービスを提供可能で回線交換サービスを提供不能な第１無線アクセスネットワーク、及び、パケット交換サービス及び回線交換サービスを提供可能な第２無線アクセスネットワークを具備する移動通信システムで用いられる移動局であって、
前記移動局と移動管理ノードとの間で用いられるプロトコルによって、該移動局のセミパーシステントスケジューリングへの対応の可否について示すセミパーシステントスケジューリング能力を通知するための情報要素を生成するように構成されており、
前記移動管理ノードに対して、生成された前記情報要素を含む信号を送信するように構成されていることを特徴とする移動局。
【請求項５】
パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて、移動局が音声通信を行う移動通信方法であって、
前記移動局が、該移動局と前記第１無線アクセスネットワーク内の無線基地局との間で用いられるプロトコルによって、該移動局のセミパーシステントスケジューリングへの対応の可否について示すセミパーシステントスケジューリング能力を通知するための情報要素を生成する工程と、
前記移動局が、前記無線基地局に対して、生成された前記情報要素を含む信号を送信する工程と、
前記無線基地局が、移動管理ノードに対して、前記情報要素を含む信号を送信する工程と、
前記移動管理ノードが、前記情報要素を解読する工程と、
前記移動管理ノードが、解読した前記情報要素及び前記移動局の前記パケット交換サービス及び回線交換サービスを用いた音声通信への対応の可否について示す情報に基づいて、該移動局に対して、前記第１無線アクセスネットワークにおいてパケット交換サービスを用いた音声通信を行うべきか、或いは、前記第２無線アクセスネットワークにおいて回線交換サービスを用いた音声通信を行うべきかを通知する工程とを有することを特徴とする移動通信方法。
【請求項６】
パケット交換サービスを提供可能で回線交換サービスを提供不能な第１無線アクセスネットワーク、及び、パケット交換サービス及び回線交換サービスを提供可能な第２無線アクセスネットワークを具備する移動通信システムで用いられる移動管理ノードであって、
前記第１無線アクセスネットワーク内の無線基地局から受信した信号において、移動局と該無線基地局との間で用いられるプロトコルによって生成された該移動局のセミパーシステントスケジューリングへの対応の可否について示すセミパーシステントスケジューリング能力を通知するための情報要素を解読するように構成されており、
解読した前記情報要素及び前記移動局の前記パケット交換サービス及びパケット交換サービスを用いた音声通信への対応の可否について示す情報に基づいて、該移動局に対して、該パケット交換サービスを用いた音声通信を行うべきか、或いは、前記第２無線アクセスネットワークにおいて回線交換サービスを用いた音声通信を行うべきかを通知するように構成されていることを特徴とする移動管理ノード。
【発明の詳細な説明】
【技術分野】
【０００１】
本発明は、移動通信方法、無線基地局、移動局及び移動管理ノードに関する。
【背景技術】
【０００２】
ＬＴＥ（Ｌｏｎｇ  Ｔｅｒｍ  Ｅｖｏｌｕｔｉｏｎ）方式の無線アクセスネットワーク、すなわち、ＥＵＴＲＡＮ（Ｅｎｈａｎｃｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）では、ＳＰＳ（Ｓｅｍｉ-Ｐｅｒｓｉｓｔｅｎｔ  Ｓｃｈｅｄｕｌｉｎｇ、セミパーシステントスケジューリング）を用いることができるように構成されている。
【０００３】
しかしながら、かかるＳＰＳ機能は、「ＩＭＳ（ＩＰ  Ｍｕｌｔｉｍｅｄｉａ  Ｓｕｂｓｙｓｔｅｍ）  Ｖｏｉｃｅ通信」に対応可能な移動局ＵＥに必ず搭載されなければならない機能ではない。
【０００４】
したがって、ＳＰＳに対応していない移動局ＵＥが、ＩＭＳ  Ｖｏｉｃｅ通信を行うためには、ダイナミックスケジューリング（Ｄｙｎａｍｉｃ  Ｓｃｈｅｄｕｌｉｎｇ）を適用する必要がある。
【先行技術文献】
【非特許文献】
【０００５】
【非特許文献１】３ＧＰＰ  ＴＳ３６.３００
【非特許文献２】３ＧＰＰ  ＴＳ３６.３３１
【発明の概要】
【発明が解決しようとする課題】
【０００６】
しかしながら、ダイナミックスケジューリングを適用した場合には、制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）によるオーバヘッドによって、接続可能な移動局ＵＥの数の減少や無線利用効率の低下やデータ通信のみ利用する移動局ＵＥに対するスケジューリング機会の減少といった事態が生じるという問題点があった。
【０００７】
そこで、かかる問題点を解決するために、ＳＰＳに対応していない移動局ＵＥが、音声通信を行うためには、かかる移動局ＵＥが、ＣＳＦＢ（Ｃｉｒｃｕｉｔ  Ｓｗｉｔｃｈｅｄ  Ｆａｌｌｂａｃｋ）に対応している場合に、かかる移動局ＵＥに対して、ＣＳＦＢを行うように指示することが想定される。
【０００８】
しかしながら、移動局ＵＥのＳＰＳへの対応の可否について示すＳＰＳ能力は、無線基地局ｅＮＢによって管理されており、移動管理ノードＭＭＥ（Ｍｏｂｉｌｉｔｙ  Ｍａｎａｇｅｍｅｎｔ  Ｅｎｔｉｔｙ）は、かかるＳＰＳ能力を考慮して、ＬＴＥ方式の無線アクセスネットワークを介してＩＭＳ  Ｖｏｉｃｅ通信を行うべきか（すなわち、ＶｏＬＴＥ（ＩＭＳ  Ｖｏｉｃｅ  ｏｖｅｒ  ＬＴＥ）を行うべきか）、或いは、かかる移動局ＵＥにＣＳＦＢ能力があれば、ＣＳＦＢを行うべきかについて判断することができないという問題点があった。
【０００９】
そこで、本発明は、上述の課題に鑑みてなされたものであり、移動局ＵＥのＳＰＳ能力を考慮して、ＶｏＬＴＥを行うべきか、或いは、かかる移動局ＵＥにＣＳＦＢ能力があれば、ＣＳＦＢを行うべきかについて判断することができる移動通信方法、無線基地局、移動局及び移動管理ノードを提供することを目的とする。
【課題を解決するための手段】
【００１０】
本発明の第１の特徴は、パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて、移動局が音声通信を行う移動通信方法であって、前記第１無線アクセスネットワーク内の無線基地局が、該無線基地局と移動管理ノードとの間で用いられるプロトコルによって、前記移動局のセミパーシステントスケジューリングへの対応の可否について示すセミパーシステントスケジューリング能力を通知するための情報要素を生成する工程と、前記無線基地局が、前記移動管理ノードに対して、生成された前記情報要素を含む信号を送信する工程と、前記移動管理ノードが、前記情報要素及び前記移動局の前記パケット交換サービス及び回線交換サービスを用いた音声通信への対応の可否について示す情報に基づいて、該移動局に対して、前記第１無線アクセスネットワークにおいてパケット交換サービスを用いた音声通信を行うべきか、或いは、前記第２無線アクセスネットワークにおいて回線交換サービスを用いた音声通信を行うべきかを通知する工程とを有することを要旨とする。
【００１１】
本発明の第２の特徴は、パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて用いられる該第１無線アクセスネットワーク内の無線基地局であって、前記無線基地局と移動管理ノードとの間で用いられるプロトコルによって、移動局のセミパーシステントスケジューリングへの対応の可否について示すセミパーシステントスケジューリング能力を通知するための情報要素を生成するように構成されており、前記移動管理ノードに対して、生成された前記情報要素を含む信号を送信するように構成されていることを要旨とする。
【００１２】
本発明の第３の特徴は、パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて、移動局が音声通信を行う移動通信方法であって、前記移動局が、該移動局と移動管理ノードとの間で用いられるプロトコルによって、該移動局のセミパーシステントスケジューリングへの対応の可否について示すセミパーシステントスケジューリング能力を通知するための情報要素を生成する工程と、前記移動局が、前記移動管理ノードに対して、生成された前記情報要素を含む信号を送信する工程と、前記移動管理ノードが、前記情報要素及び前記移動局の前記パケット交換サービス及び回線交換サービスを用いた音声通信への対応の可否について示す情報に基づいて、該移動局に対して、前記第１無線アクセスネットワークにおいてパケット交換サービスを用いた音声通信を行うべきか、或いは、前記第２無線アクセスネットワークにおいて回線交換サービスを用いた音声通信を行うべきかを通知する工程とを有することを要旨とする。
【００１３】
本発明の第４の特徴は、パケット交換サービスを提供可能で回線交換サービスを提供不能な第１無線アクセスネットワーク、及び、パケット交換サービス及び回線交換サービスを提供可能な第２無線アクセスネットワークを具備する移動通信システムで用いられる移動局であって、前記移動局と移動管理ノードとの間で用いられるプロトコルによって、該移動局のセミパーシステントスケジューリングへの対応の可否について示すセミパーシステントスケジューリング能力を通知するための情報要素を生成するように構成されており、前記移動管理ノードに対して、生成された前記情報要素を含む信号を送信するように構成されていることを要旨とする。
【００１４】
本発明の第５の特徴は、パケット交換サービスを提供可能で回線交換サービスを提供不能な第１無線アクセスネットワーク、及び、パケット交換サービス及び回線交換サービスを提供可能な第２無線アクセスネットワークを具備する移動通信システムにおいて、移動局が音声通信を行う移動通信方法であって、前記移動局が、該移動局と前記第１無線アクセスネットワーク内の無線基地局との間で用いられるプロトコルによって、該移動局のセミパーシステントスケジューリングへの対応の可否について示すセミパーシステントスケジューリング能力を通知するための情報要素を生成する工程と、前記移動局が、前記無線基地局に対して、生成された前記情報要素を含む信号を送信する工程と、前記無線基地局が、移動管理ノードに対して、前記情報要素を含む信号を送信する工程と、前記移動管理ノードが、前記情報要素を解読する工程と、前記移動管理ノードが、解読した前記情報要素及び前記移動局の前記パケット交換サービス及び回線交換サービスを用いた音声通信への対応の可否について示す情報に基づいて、該移動局に対して、前記第１無線アクセスネットワークにおいてパケット交換サービスを用いた音声通信を行うべきか、或いは、前記第２無線アクセスネットワークにおいて回線交換サービスを用いた音声通信を行うべきかを通知する工程とを有することを要旨とする。
【００１５】
本発明の第６の特徴は、パケット交換サービスを提供可能で回線交換サービスを提供不能な第１無線アクセスネットワーク、及び、パケット交換サービス及び回線交換サービスを提供可能な第２無線アクセスネットワークを具備する移動通信システムで用いられる移動管理ノードであって、前記第１無線アクセスネットワーク内の無線基地局から受信した信号において、移動局と該無線基地局との間で用いられるプロトコルによって生成された該移動局のセミパーシステントスケジューリングへの対応の可否について示すセミパーシステントスケジューリング能力を通知するための情報要素を解読するように構成されており、解読した前記情報要素及び前記移動局の前記パケット交換サービス及び回線交換サービスを用いた音声通信への対応の可否について示す情報に基づいて、該移動局に対して、該パケット交換サービスを用いた音声通信を行うべきか、或いは、前記第２無線アクセスネットワークにおいて回線交換サービスを用いた音声通信を行うべきかを通知するように構成されていることを要旨とする。
【発明の効果】
【００１６】
以上説明したように、本発明によれば、移動局ＵＥのＳＰＳ能力を考慮して、ＶｏＬＴＥを行うべきか、或いは、かかる移動局ＵＥにＣＳＦＢ能力があれば、ＣＳＦＢを行うべきかについて判断することができる移動通信方法、無線基地局、移動局及び移動管理ノードを提供することができる。
【図面の簡単な説明】
【００１７】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「ＵＥ  ＣＡＰＡＢＩＬＩＴＹ  ＩＮＦＯ  ＩＮＤＩＣＡＴＩＯＮ」のフォーマットの一例を示す図である。
【図４】本発明の第１の実施形態に係る移動管理ノードの機能ブロック図である。
【図５】本発明の第１の実施形態に係る移動通信システムの動作を説明するシーケンス図である。
【図６】本発明の変更例１に係る移動局の機能ブロック図である。
【図７】本発明の変更例１に係る移動通信システムで用いられる「ＡＴＴＡＣＨ  ＲＥＱＵＥＳＴ」のフォーマットの一例を示す図である。
【図８】本発明の変更例２に係る移動通信システムで用いられる「ＵＥ  ＣＡＰＡＢＩＬＩＴＹ  ＩＮＦＯ  ＩＮＤＩＣＡＴＩＯＮ」のフォーマットの一例を示す図である。
【発明を実施するための形態】
【００１８】
（本発明の第１の実施形態に係る移動通信システム）
図１乃至図６を参照して、本発明の第１の実施形態に係る移動通信システムについて説明する。
【００１９】
図１に示すように、本実施形態に係る移動通信システムは、Ｅ-ＵＴＲＡ及びＵＴＲＡを具備する移動通信システムであって、Ｅ-ＵＴＲＡＮを収容する移動管理ノードや、サービングゲートウェイ装置Ｓ-ＧＷ（Ｓｅｒｖｉｎｇ  Ｇａｔｅｗａｙ）や、パケットデータネットワークゲートウェイ装置Ｐ-ＧＷ（ＰＤＮ  Ｇａｔｅｗａｙ）や、パケット交換機ＳＧＳＮ（Ｓｅｒｖｉｎｇ  ＧＰＲＳ  Ｓｕｐｐｏｒｔｉｎｇ  Ｎｏｄｅ）や、回線交換機ＭＳＣ（Ｍｏｂｉｌｅ-ｓｅｒｖｉｃｅ  Ｓｗｉｔｃｈｉｎｇ  Ｃｅｎｔｅｒ）や、加入者管理サーバ装置ＨＳＳ（Ｈｏｍｅ  Ｓｕｂｓｃｒｉｂｅｒ  Ｓｅｒｖｅｒ）や、ＩＭＳ等を具備している。
【００２０】
なお、本実施形態に係る移動通信システムは、ＳＰＳや、ＶｏＬＴＥや、ＣＳＦＢ等を提供することができるように構成されている。
【００２１】
図２に示すように、本実施形態に係る無線基地局ｅＮＢは、送信部１１と、受信部１２とを具備している。
【００２２】
送信部１１は、移動局ＵＥや移動管理ノードＭＭＥに対して、各種信号を送信するように構成されている。
【００２３】
例えば、送信部１１は、移動局ＵＥに対して、信号「ＲＲＣ：ＵＥ  Ｃａｐａｂｉｌｉｔｙ  Ｅｎｑｕｉｒｙ」等を送信するように構成されている。
【００２４】
また、送信部１１は、移動管理ノードＭＭＥに対して、信号「Ｓ１-ＡＰ：ＩＮＩＴＩＡＬ  ＣＯＮＴＥＸＴ  ＳＥＴＵＰ  ＲＥＳＰＯＮＳＥ」や「Ｓ１-ＡＰ：ＵＥ  ＣＡＰＡＢＩＬＩＴＹ  ＩＮＦＯ  ＩＮＤＩＣＡＴＩＯＮ」等を送信するように構成されている。
【００２５】
ここで、図３に示すように、送信部１１は、Ｓ１-ＡＰプロトコルによって、情報要素「ＳＰＳ  Ｃａｐａｂｉｌｉｔｙ」を生成し、移動管理ノードＭＭＥに対して、生成された情報要素「ＳＰＳ  Ｃａｐａｂｉｌｉｔｙ」を含む信号「Ｓ１-ＡＰ：ＵＥ  ＣＡＰＡＢＩＬＩＴＹ  ＩＮＦＯ  ＩＮＤＩＣＡＴＩＯＮ」を送信するように構成されている。
【００２６】
具体的には、図３に示すように、送信部１１は、信号「Ｓ１-ＡＰ：ＵＥ  ＣＡＰＡＢＩＬＩＴＹ  ＩＮＦＯ  ＩＮＤＩＣＡＴＩＯＮ」の既存の情報要素に加えて、新たな情報要素として、Ｓ１-ＡＰプロトコルによって生成された情報要素「ＳＰＳ  Ｃａｐａｂｉｌｉｔｙ」を追加するように構成されていてもよい。
【００２７】
なお、かかる情報要素「ＳＰＳ  Ｃａｐａｂｉｌｉｔｙ」は、Ｓ１-ＡＰプロトコルによって生成されているため、移動管理ノードＭＭＥのＳ１-ＡＰプロトコル機能によって解読可能である。
【００２８】
受信部１２は、移動局ＵＥや移動管理ノードＭＭＥによって送信された各種信号を受信するように構成されている。
【００２９】
例えば、受信部１２は、移動局ＵＥによって送信された信号「ＲＲＣ：ＵＥ  Ｃａｐａｂｉｌｉｔｙ  Ｉｎｆｏｒｍａｔｉｏｎ」等を受信するように構成されている。
【００３０】
また、受信部１２は、移動管理ノードＭＭＥによって送信された信号「Ｓ１-ＡＰ：ＩＮＩＴＩＡＬ  ＣＯＮＴＥＸＴ  ＳＥＴＵＰ  ＲＥＱＵＥＳＴ」等を受信するように構成されている。
【００３１】
図４に示すように、本実施形態に係る移動管理ノードＭＭＥは、受信部２１と、判定部２２と、送信部２３とを具備している。
【００３２】
受信部２１は、無線基地局ｅＮＢや移動局ＵＥによって送信された各種信号を受信するように構成されている。
【００３３】
例えば、受信部２１は、無線基地局ｅＮＢによって送信された信号「Ｓ１-ＡＰ：ＩＮＩＴＩＡＬ  ＣＯＮＴＥＸＴ  ＳＥＴＵＰ  ＲＥＳＰＯＮＳＥ」や「Ｓ１-ＡＰ：ＵＥ  ＣＡＰＡＢＩＬＩＴＹ  ＩＮＦＯ  ＩＮＤＩＣＡＴＩＯＮ」等を受信するように構成されている。
【００３４】
また、受信部２１は、移動局ＵＥによって送信された信号「ＡＴＴＡＣＨ  ＲＥＱＵＥＳＴ」、「ＴＲＡＣＫＩＮＧ  ＡＲＥＡ  ＵＰＤＡＴＥ  ＲＥＱＵＥＳＴ」等を受信するように構成されている。
【００３５】
判定部２２は、移動局ＵＥのＩＭＳ  Ｖｏｉｃｅ通信への対応の可否について示す情報を管理している。
【００３６】
ここで、判定部２２は、受信部２１によって受信された信号「Ｓ１-ＡＰ：ＵＥ  ＣＡＰＡＢＩＬＩＴＹ  ＩＮＦＯ  ＩＮＤＩＣＡＴＩＯＮ」に含まれている情報要素「ＳＰＳ  Ｃａｐａｂｉｌｉｔｙ」及び移動局ＵＥのＩＭＳ  Ｖｏｉｃｅ通信、ＣＳＦＢへの対応の可否について示す情報に基づいて、移動局ＵＥについて、ＶｏＬＴＥを行うべきか、或いは、ＣＳＦＢを行うべきかについて判定するように構成されている。
【００３７】
例えば、判定部２２は、ＳＰＳに対応可能で且つＩＭＳ  Ｖｏｉｃｅ通信に対応可能な移動局ＵＥについて、ＶｏＬＴＥを行うべきであると判定するように構成されていてもよい。
【００３８】
一方、判定部２２は、それ以外のＣＳＦＢに対応可能な移動局ＵＥについて、ＣＳＦＢを行うべきであると判定するように構成されていてもよい。
【００３９】
送信部２３は、無線基地局ｅＮＢや移動局ＵＥに対して、各種信号を送信するように構成されている。
【００４０】
例えば、送信部２３は、無線基地局ｅＮＢに対して、信号「Ｓ１-ＡＰ：ＩＮＩＴＩＡＬ  ＣＯＮＴＥＸＴ  ＳＥＴＵＰ  ＲＥＱＵＥＳＴ」等を送信するように構成されている。
【００４１】
また、送信部２３は、移動局ＵＥに対して、信号「ＡＴＴＡＣＨ  ＡＣＣＥＰＴ」、「ＴＲＡＣＫＩＮＧ  ＡＲＥＡ  ＵＰＤＡＴＥ  ＡＣＣＥＰＴ」等を送信するように構成されている。
【００４２】
ここで、送信部２３は、移動局ＵＥに対して、信号「ＡＴＴＡＣＨ  ＡＣＣＥＰＴ」や「ＴＲＡＣＫＩＮＧ  ＡＲＥＡ  ＵＰＤＡＴＥ  ＡＣＣＥＰＴ」によって、上述の判定結果について通知するように構成されていてもよい。
【００４３】
以下、図５を参照して、本発明の第１の実施形態に係る移動通信システムにおけるＡｔｔａｃｈ手順の一例について説明する。
【００４４】
図５に示すように、ステップＳ１００１において、移動局ＵＥは、無線基地局ｅＮＢに対して、「ＲＡＣＨ  ｐｒｅａｍｂｌｅ」を送信し、ステップＳ１００２において、無線基地局ｅＮＢは、移動局ＵＥに対して、「ＲＡＣＨ  ｒｅｓｐｏｎｓｅ」を送信する。
【００４５】
ステップＳ１００３において、移動局ＵＥは、無線基地局ｅＮＢに対して、「ＲＲＣ  ＣＯＮＮＥＣＴＩＯＮ  ＲＥＱＵＥＳＴ」を送信し、ステップＳ１００４において、無線基地局ｅＮＢは、移動局ＵＥに対して、「ＲＲＣ  ＣＯＮＮＥＣＴＩＯＮ  ＳＥＴＵＰ」を送信する。
【００４６】
ステップＳ１００５において、移動局ＵＥは、無線基地局ｅＮＢに対して、「ＡＴＴＡＣＨ  ＲＥＱＵＥＳＴ」を含む「ＲＲＣ  ＣＯＮＮＥＣＴＩＯＮ  ＳＥＴＵＰ  ＣＯＭＰＬＥＴＥ」を送信し、ステップＳ１００６において、無線基地局ｅＮＢは、移動管理ノードＭＭＥに対して、「ＡＴＴＡＣＨ  ＲＥＱＵＥＳＴ」を含む「Ｓ１−ＡＰ：ＩＮＩＴＩＡＬ  ＵＥ  ＭＥＳＳＡＧＥ」を送信する。
【００４７】
ステップＳ１００７において、移動管理ノードＭＭＥは、加入者管理サーバ装置ＨＳＳに対して、「Ｓｅｎｄ  Ａｕｔｈｅｎｔｉｃａｔｉｏｎ  Ｉｎｆｏ」を送信し、ステップＳ１００８において、加入者管理サーバ装置ＨＳＳは、移動管理ノードＭＭＥに対して、「Ｓｅｎｄ  Ａｕｔｈｅｎｔｉｃａｔｉｏｎ  Ｉｎｆｏ  Ａｃｋ」を送信する。
【００４８】
ステップＳ１００９において、移動管理ノードＭＭＥは、移動局ＵＥに対して、「ＡＵＴＨＥＮＴＩＣＡＴＩＯＮ  ＲＥＱＵＥＳＴ」を送信し、ステップＳ１０１０において、移動局ＵＥは、移動管理ノードＭＭＥに対して、「ＡＵＴＨＥＮＴＩＣＡＴＩＯＮ  ＲＥＳＰＯＮＳＥ」を送信する。
【００４９】
ステップＳ１０１１において、移動管理ノードＭＭＥは、移動局ＵＥに対して、「ＳＥＣＵＲＩＴＹ  ＭＯＤＥ  ＣＯＭＭＡＮＤ」を送信し、ステップＳ１０１２において、移動局ＵＥは、移動管理ノードＭＭＥに対して、「ＳＥＣＵＲＩＴＹ  ＭＯＤＥ  ＣＯＭＰＬＥＴＥ」を送信する。
【００５０】
ステップＳ１０１３において、移動管理ノードＭＭＥは、移動局ＵＥに対して、「ＥＳＭ  ＩＮＦＯＲＭＡＴＩＯＮ  ＲＥＱＵＥＳＴ」を送信し、ステップＳ１０１４において、移動局ＵＥは、移動管理ノードＭＭＥに対して、「ＥＳＭ  ＩＮＦＯＲＭＡＴＩＯＮ  ＲＥＳＰＯＮＳＥ」を送信する。
【００５１】
ステップＳ１０１５において、移動管理ノードＭＭＥは、無線基地局ｅＮＢに対して、「ＡＴＴＡＣＨ  ＡＣＣＥＰＴ」を含む「Ｓ１-ＡＰ：ＩＮＩＴＩＡＬ  ＣＯＮＴＥＸＴ  ＳＥＴＵＰ  ＲＥＱＵＥＳＴ」を送信する。
【００５２】
なお、かかる「ＡＴＴＡＣＨ  ＡＣＣＥＰＴ」には、移動局ＵＥについて、ＶｏＬＴＥを行うべきか、或いは、ＣＳＦＢを行うべきかについての判定結果が含まれているものとする。
【００５３】
ここで、「Ｓ１-ＡＰ：ＩＮＩＴＩＡＬ  ＣＯＮＴＥＸＴ  ＳＥＴＵＰ  ＲＥＱＵＥＳＴ」に、情報要素「ＵＥ  ＣＡＰＡＢＩＬＩＴＹ」が含まれていない場合、ステップＳ１０１６及びＳ１０１７の処理が行われる。
【００５４】
なお、情報要素「ＵＥ  ＣＡＰＡＢＩＬＩＴＹ」は、ＲＲＣ（Ｒａｄｉｏ  Ｒｅｓｏｕｒｃｅ  Ｃｏｎｔｒｏｌ）プロトコルによって生成されており、移動管理ノードＭＭＥによって解読され得ない情報要素である。
【００５５】
すなわち、移動管理ノードＭＭＥは、信号「Ｓ１-ＡＰ：ＵＥ  ＣＡＰＡＢＩＬＩＴＹ  ＩＮＦＯ  ＩＮＤＩＣＡＴＩＯＮ」に含まれていた情報要素「ＵＥ  Ｒａｄｉｏ  Ｃａｐａｂｉｌｉｔｙ」を、情報要素「ＵＥ  ＣＡＰＡＢＩＬＩＴＹ」として「Ｓ１-ＡＰ：ＩＮＩＴＩＡＬ  ＣＯＮＴＥＸＴ  ＳＥＴＵＰ  ＲＥＱＵＥＳＴ」に含めて送信する。
【００５６】
ステップＳ１０１６において、無線基地局ｅＮＢは、移動局ＵＥに対して、「ＲＲＣ：ＵＥ  ＣＡＰＡＢＩＬＩＴＹ  ＥＮＱＵＩＲＹ」を送信する。
【００５７】
ステップＳ１０１７において、移動局ＵＥは、ＲＲＣプロトコルによって、移動局ＵＥの能力を通知するための情報要素「ＵＥ  Ｒａｄｉｏ  Ｃａｐａｂｉｌｉｔｙ」を生成し、無線基地局ｅＮＢに対して、かかる情報要素「ＵＥ  Ｒａｄｉｏ  Ｃａｐａｂｉｌｉｔｙ」を含む「ＲＲＣ：ＵＥ  ＣＡＰＡＢＩＬＩＴＹ  ＩＮＦＯＲＭＡＴＩＯＮ」を送信する。
【００５８】
ここで、かかる移動局ＵＥの能力には、移動局ＵＥのＳＰＳ能力等の無線能力が含まれている。
【００５９】
ステップＳ１０１８において、無線基地局ｅＮＢは、Ｓ１-ＡＰプロトコルによって、移動局ＵＥのＳＰＳ能力を通知するための情報要素「ＳＰＳ  Ｃａｐａｂｉｌｉｔｙ」を生成し、移動管理ノードＭＭＥに対して、生成された情報要素「ＳＰＳ  Ｃａｐａｂｉｌｉｔｙ」を含む信号「ＵＥ  ＣＡＰＡＢＩＬＩＴＹ  ＩＮＦＯ  ＩＮＤＩＣＡＴＩＯＮ」を送信する。
【００６０】
無線基地局ｅＮＢは、移動局ＵＥに対して、ステップＳ１０１９において、「ＳＥＣＵＲＩＴＹ  ＭＯＤＥ  ＣＯＭＭＡＮＤ」を送信し、ステップＳ１０２０において、上述の「ＡＴＴＡＣＨ  ＡＣＣＥＰＴ」を含む「ＲＲＣ  ＣＯＮＮＥＣＴＩＯＮ  ＲＥＣＯＮＦＩＧＵＲＡＴＩＯＮ」を送信する。
【００６１】
ここで、移動局ＵＥは、受信した「ＡＴＴＡＣＨ  ＡＣＣＥＰＴ」に含まれる判定結果を管理しておき、音声通信を開始する場合に、ＶｏＬＴＥを行うべきか、或いは、ＣＳＦＢを行うべきかについて決定する。
【００６２】
移動局ＵＥは、無線基地局ｅＮＢに対して、ステップＳ１０２１において、「ＳＥＣＵＲＩＴＹ  ＭＯＤＥ  ＣＯＭＰＬＥＴＥ」を送信し、ステップＳ１０２２において、「ＲＲＣ  ＣＯＮＮＥＣＴＩＯＮ  ＲＥＣＯＮＦＩＧＵＲＡＴＩＯＮ  ＣＯＭＰＬＥＴＥ」を送信する。
【００６３】
ステップＳ１０２３において、無線基地局ｅＮＢは、移動管理ノードＭＭＥに対して、「ＩＮＩＴＩＡＬ  ＣＯＮＴＥＸＴ  ＳＥＴＵＰ  ＲＥＳＰＯＮＳＥ」を送信する。
【００６４】
なお、移動管理ノードＭＭＥが「ＵＥ  Ｒａｄｉｏ  Ｃａｐａｂｉｌｉｔｙ」を保持していない場合は、ステップＳ１０１５において、移動管理ノードＭＭＥは、無線基地局ｅＮＢに対して、「ＡＴＴＡＣＨ  ＡＣＣＥＰＴ」を含まない「Ｓ１-ＡＰ：ＩＮＩＴＩＡＬ  ＣＯＮＴＥＸＴ  ＳＥＴＵＰ  ＲＥＱＵＥＳＴ」を送信し、ステップＳ１０２３の「Ｓ１−ＡＰ：ＩＮＩＴＩＡＬ  ＣＯＮＴＥＸＴ  ＳＥＴＵＰ  ＲＥＳＰＯＮＳＥ」を受信した後、移動局ＵＥに対して「ＡＴＴＡＣＨ  ＡＣＣＥＰＴ」を送信しても良い。
【００６５】
ステップＳ１０２４において、移動局ＵＥは、移動管理ノードＭＭＥに対して、「ＡＴＴＡＣＨ  ＣＯＭＰＬＥＴＥ」を送信する。
【００６６】
本発明の第１の実施形態に係る移動通信システムによれば、移動管理ノードＭＭＥは、信号「Ｓ１-ＡＰ：ＵＥ  ＣＡＰＡＢＩＬＩＴＹ  ＩＮＦＯ  ＩＮＤＩＣＡＴＩＯＮ」に含まれており、Ｓ１-ＡＰプロトコルによって生成されている情報要素「ＳＰＳ  Ｃａｐａｂｉｌｉｔｙ」によって、移動局ＵＥのＳＰＳ能力を把握することができるため、移動局ＵＥについて、移動局ＵＥのＳＰＳ能力を考慮して、ＶｏＬＴＥを行うべきか、或いは、ＣＳＦＢを行うべきかについて判断することができる。
【００６７】
（変更例１）
以下、図６及び図７を参照して、本発明の変更例１に係る移動通信システムについて、上述の第１の実施形態に係る移動通信システムとの相違点に着目して説明する。
【００６８】
図６に示すように、本変更例１に係る移動局ＵＥは、受信部３１と、送信部３２とを具備している。
【００６９】
受信部３１は、無線基地局ｅＮＢや移動管理ノードＭＭＥによって送信された各種信号を受信するように構成されている。
【００７０】
例えば、受信部３１は、無線基地局ｅＮＢによって送信された信号「ＲＲＣ：ＵＥ  ＣＡＰＡＢＩＬＩＴＹ  ＥＮＱＵＩＲＹ」等を受信するように構成されている。
【００７１】
また、受信部３１は、移動管理ノードＭＭＥによって送信された信号「ＡＴＴＡＣＨ  ＡＣＣＥＰＴ」、「ＴＲＡＣＫＩＮＧ  ＡＲＥＡ  ＵＰＤＡＴＥ  ＡＣＣＥＰＴ」等を受信するように構成されている。
【００７２】
送信部３２は、無線基地局ｅＮＢや移動管理ノードＭＭＥに対して、各種信号を送信するように構成されている。
【００７３】
例えば、送信部３２は、ＲＲＣプロトコルによって、移動局ＵＥの能力を通知するための情報要素「ＵＥ  Ｒａｄｉｏ  Ｃａｐａｂｉｌｉｔｙ」を生成し、無線基地局ｅＮＢに対して、かかる情報要素「ＵＥ  Ｒａｄｉｏ  Ｃａｐａｂｉｌｉｔｙ」を含む「ＲＲＣ：ＵＥ  ＣＡＰＡＢＩＬＩＴＹ  ＩＮＦＯＲＭＡＴＩＯＮ」を送信するように構成されている。
【００７４】
また、図７に示すように、送信部３２は、ＮＡＳプロトコルによって、移動局ＵＥのＳＰＳ能力を通知するための情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」や「ＵＥ  ｎｅｔｗｏｒｋ  ｃａｐａｂｉｌｉｔｙ」等を生成するように構成されている。
【００７５】
或いは、送信部３２は、ＮＡＳプロトコルによって、移動局ＵＥのＳＰＳ能力を通知するための情報要素を、既存の情報要素ではなく、新規の情報要素として生成するように構成されている。
【００７６】
送信部３２は、移動管理ノードＭＭＥに対して、生成した情報要素を含む信号「ＡＴＴＡＣＨ  ＲＥＱＵＥＳＴ」、「ＴＲＡＣＫＩＮＧ  ＡＲＥＡ  ＵＰＤＡＴＥ  ＡＣＣＥＰＴ」等を送信するように構成されている。
【００７７】
ここで、本変更例１に係る移動管理ノードＭＭＥの判定部２２は、受信部２１によって受信された「ＡＴＴＡＣＨ  ＲＥＱＵＥＳＴ」若しくは「ＴＲＡＣＫＩＮＧ  ＡＲＥＡ  ＵＰＤＡＴＥ  ＲＥＱＵＥＳＴ」に含まれる情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」や「ＵＥ  ｎｅｔｗｏｒｋ  ｃａｐａｂｉｌｉｔｙ」や新規の情報要素等及び移動局ＵＥのＩＭＳ  Ｖｏｉｃｅ通信及びＣＳＦＢへの対応の可否について示す情報に基づいて、移動局ＵＥについて、ＶｏＬＴＥを行うべきか、或いは、ＣＳＦＢを行うべきかについて判定するように構成されている。
【００７８】
本発明の変更例１に係る移動通信システムによれば、移動管理ノードＭＭＥは、信号「ＡＴＴＡＣＨ  ＲＥＱＵＥＳＴ」に含まれており、ＮＡＳプロトコルによって生成されている情報要素によって、移動局ＵＥのＳＰＳ能力を把握することができるため、移動局ＵＥについて、移動局ＵＥのＳＰＳ能力を考慮して、ＶｏＬＴＥを行うべきか、或いは、ＣＳＦＢを行うべきかについて判断することができる。
【００７９】
ここで、移動管理ノードＭＭＥが、ＮＡＳプロトコルによって生成されている情報要素によって、移動局ＵＥのＳＰＳ能力を把握する信号は、「ＴＲＡＣＫＩＮＧ  ＡＲＥＡ  ＵＰＤＡＴＥ  ＡＣＣＥＰＴ」であってもよい。
【００８０】
（変更例２）
以下、図８を参照して、本発明の変更例２に係る移動通信システムについて、上述の第１の実施形態に係る移動通信システムとの相違点に着目して説明する。
【００８１】
本変更例２に係る移動局ＵＥの送信部３２は、ＲＲＣプロトコルによって、移動局ＵＥのＳＰＳ能力を含む移動局ＵＥの能力を通知するための情報要素「ＵＥ  Ｒａｄｉｏ  Ｃａｐａｂｉｌｉｔｙ」を生成し、無線基地局ｅＮＢに対して、かかる情報要素「ＵＥ  Ｒａｄｉｏ  Ｃａｐａｂｉｌｉｔｙ」を含む「ＲＲＣ：ＵＥ  ＣＡＰＡＢＩＬＩＴＹ  ＩＮＦＯＲＭＡＴＩＯＮ」を送信するように構成されている。
【００８２】
また、本変更例２に係る無線基地局ｅＮＢの送信部１１は、移動管理ノードＭＭＥに対して、かかる情報要素「ＵＥ  Ｒａｄｉｏ  Ｃａｐａｂｉｌｉｔｙ」を含む「Ｓ１-ＡＰＵＥ  ＣＡＰＡＢＩＬＩＴＹ  ＩＮＦＯ  ＩＮＤＩＣＡＴＩＯＮ」を送信するように構成されている。
【００８３】
さらに、本変更例２に係る移動管理ノードＭＭＥの判定部２２は、無線基地局ｅＮＢから受信した信号「ＵＥ  ＣＡＰＡＢＩＬＩＴＹ  ＩＮＦＯ  ＩＮＤＩＣＡＴＩＯＮ」において、ＲＲＣプロトコルによって生成された情報要素「ＵＥ  Ｒａｄｉｏ  Ｃａｐａｂｉｌｉｔｙ」を解読することができるように構成されている。
【００８４】
また、本変更例２に係る移動管理ノードＭＭＥの判定部２２は、解読した情報要素「ＵＥ  Ｒａｄｉｏ  Ｃａｐａｂｉｌｉｔｙ」及び移動局ＵＥのＩＭＳ  Ｖｏｉｃｅ通信及びＣＳＦＢへの対応の可否について示す情報に基づいて、移動局ＵＥについて、ＶｏＬＴＥを行うべきか、或いは、ＣＳＦＢを行うべきかについて判定するように構成されている。
【００８５】
本発明の変更例２に係る移動通信システムによれば、移動管理ノードＭＭＥは、信号「Ｓ１-ＡＰ：ＵＥ  ＣＡＰＡＢＩＬＩＴＹ  ＩＮＦＯ  ＩＮＤＩＣＡＴＩＯＮ」に含まれており、ＲＲＣプロトコルによって生成されている情報要素「ＵＥ  Ｒａｄｉｏ  Ｃａｐａｂｉｌｉｔｙ」によって、移動局ＵＥのＳＰＳ能力を把握することができるため、移動局ＵＥについて、移動局ＵＥのＳＰＳ能力を考慮して、ＶｏＬＴＥを行うべきか、或いは、ＣＳＦＢを行うべきかについて判断することができる。
【００８６】
以上に述べた本実施形態の特徴は、以下のように表現されていてもよい。
【００８７】
本実施形態の第１の特徴は、Ｅ-ＵＴＲＡＮ（パケット交換サービスを提供可能で回線交換サービスを提供不能な第１無線アクセスネットワーク）、及び、ＵＴＲＡＮ（パケット交換サービス及び回線交換サービスを提供可能な第２無線アクセスネットワーク）を具備する移動通信システムにおいて、移動局ＵＥが音声通信を行う移動通信方法であって、Ｅ-ＵＴＲＡＮ内の無線基地局ｅＮＢが、Ｓ１-ＡＰプロトコル（無線基地局と移動管理ノードとの間で用いられるプロトコル）によって、移動局ＵＥのＳＰＳ（セミパーシステントスケジューリング）への対応の可否について示すＳＰＳ能力（セミパーシステントスケジューリング能力）を通知するための情報要素「ＳＰＳ  Ｃａｐａｂｉｌｉｔｙ」を生成する工程と、無線基地局ｅＮＢが、移動管理ノードＭＭＥに対して、生成された情報要素「ＳＰＳ  Ｃａｐａｂｉｌｉｔｙ」を含む信号「ＵＥ  ＣＡＰＡＢＩＬＩＴＹ  ＩＮＦＯ  ＩＮＤＩＣＡＴＩＯＮ」を送信する工程と、移動管理ノードＭＭＥが、情報要素「ＳＰＳ  Ｃａｐａｂｉｌｉｔｙ」及び移動局ＵＥのＩＭＳ  Ｖｏｉｃｅ通信（パケット交換サービスを用いた音声通信）及びＣＳＦＢへの対応の可否について示す情報に基づいて、移動局ＵＥに対して、ＶｏＬＴＥ（第１無線アクセスネットワークにおいてパケット交換サービスを用いた音声通信）を行うべきか、或いは、ＣＳＦＢ（第２無線アクセスネットワークにおいて回線交換サービスを用いた音声通信）を行うべきかを通知する工程とを有することを要旨とする。
【００８８】
本実施形態の第２の特徴は、Ｅ-ＵＴＲＡＮ、及び、ＵＴＲＡＮを具備する移動通信システムにおいて用いられる無線基地局ｅＮＢであって、Ｓ１-ＡＰプロトコルによって、情報要素「ＳＰＳ  Ｃａｐａｂｉｌｉｔｙ」を生成するように構成されており、移動管理ノードＭＭＥに対して、生成された情報要素「ＳＰＳ  Ｃａｐａｂｉｌｉｔｙ」を含む信号「ＵＥ  ＣＡＰＡＢＩＬＩＴＹ  ＩＮＦＯ  ＩＮＤＩＣＡＴＩＯＮ」を送信するように構成されていることを要旨とする。
【００８９】
本実施形態の第３の特徴は、Ｅ-ＵＴＲＡＮ、及び、ＵＴＲＡＮを具備する移動通信システムにおいて、移動局ＵＥが音声通信を行う移動通信方法であって、移動局ＵＥが、ＮＡＳプロトコル（移動局と移動管理ノードとの間で用いられるプロトコル）によって、移動局ＵＥのＳＰＳ能力を通知するための情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」や「ＵＥ  ｎｅｔｗｏｒｋ  ｃａｐａｂｉｌｉｔｙ」等を生成する工程と、移動局ＵＥが、移動管理ノードＭＭＥに対して、生成された情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」や「ＵＥ  ｎｅｔｗｏｒｋ  ｃａｐａｂｉｌｉｔｙ」等を含む信号「ＡＴＴＡＣＨ  ＲＥＱＵＥＳＴ」を送信する工程と、移動管理ノードＭＭＥが、情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」や「ＵＥ  ｎｅｔｗｏｒｋ  ｃａｐａｂｉｌｉｔｙ」等及び移動局ＵＥのＩＭＳ  Ｖｏｉｃｅ通信及びＣＳＦＢへの対応の可否について示す情報に基づいて、移動局ＵＥに対して、ＶｏＬＴＥを行うべきか、或いは、ＣＳＦＢを行うべきかを通知する工程とを有することを要旨とする。
【００９０】
ここで、前記信号「ＡＴＴＡＣＨ  ＲＥＱＵＥＳＴ」は、「ＴＲＡＣＫＩＮＧ  ＡＲＥＡ  ＵＰＤＡＴＥ  ＡＣＣＥＰＴ」であってもよい。
【００９１】
本実施形態の第４の特徴は、Ｅ-ＵＴＲＡＮ、及び、ＵＴＲＡＮを具備する移動通信システムで用いられる移動局ＵＥであって、ＮＡＳプロトコルによって、移動局ＵＥのＳＰＳ能力を通知するための情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」や「ＵＥ  ｎｅｔｗｏｒｋ  ｃａｐａｂｉｌｉｔｙ」等を生成するように構成されており、移動管理ノードＭＭＥに対して、生成された情報要素「Ｖｏｉｃｅ  ｄｏｍａｉｎ  ｐｒｅｆｅｒｅｎｃｅ  ａｎｄ  ＵＥ’ｓ  ｕｓａｇｅ  ｓｅｔｔｉｎｇ」や「ＵＥ  ｎｅｔｗｏｒｋ  ｃａｐａｂｉｌｉｔｙ」等を含む信号「ＡＴＴＡＣＨ  ＲＥＱＵＥＳＴ」を送信するように構成されていることを要旨とする。
【００９２】
ここで、前記信号「ＡＴＴＡＣＨ  ＲＥＱＵＥＳＴ」は「ＴＲＡＣＫＩＮＧ  ＡＲＥＡ  ＵＰＤＡＴＥ  ＡＣＣＥＰＴ」であってもよい。
【００９３】
本実施形態の第５の特徴は、Ｅ-ＵＴＲＡＮ、及び、ＵＴＲＡＮを具備する移動通信システムにおいて、移動局ＵＥが音声通信を行う移動通信方法であって、移動局ＵＥが、ＲＲＣプロトコル（移動局と第１無線アクセスネットワーク内の無線基地局との間で用いられるプロトコル）によって、移動局ＵＥのＳＰＳ能力を通知するための情報要素「ＵＥ  Ｒａｄｉｏ  Ｃａｐａｂｉｌｉｔｙ」を生成する工程と、移動局ＵＥが、無線基地局ｅＮＢに対して、生成された情報要素「ＵＥ  Ｒａｄｉｏ  Ｃａｐａｂｉｌｉｔｙ」を含む信号「ＵＥ  Ｃａｐａｂｉｌｉｔｙ  Ｉｎｆｏｒｍａｔｉｏｎ」を送信する工程と、無線基地局ｅＮＢが、移動管理ノードＭＭＥに対して、移動局ＵＥのＳＰＳ能力を通知するための情報要素「ＵＥ  Ｒａｄｉｏ  Ｃａｐａｂｉｌｉｔｙ」を含む信号「ＵＥ  ＣＡＰＡＢＩＬＩＴＹ  ＩＮＦＯ  ＩＮＤＩＣＡＴＩＯＮ」を送信する工程と、移動管理ノードＭＭＥが、情報要素「ＵＥ  Ｒａｄｉｏ  Ｃａｐａｂｉｌｉｔｙ」を解読する工程と、移動管理ノードＭＭＥが、解読した情報要素「ＵＥ  Ｒａｄｉｏ  Ｃａｐａｂｉｌｉｔｙ」及び移動局ＵＥのＩＭＳ  Ｖｏｉｃｅ通信及びＣＳＦＢへの対応の可否について示す情報に基づいて、移動局ＵＥに対して、ＶｏＬＴＥを行うべきか、或いは、ＣＳＦＢを行うべきかを通知する工程とを有することを要旨とする。
【００９４】
本実施形態の第６の特徴は、Ｅ-ＵＴＲＡＮ、及び、ＵＴＲＡＮを具備する移動通信システムで用いられる移動管理ノードＭＭＥであって、無線基地局ｅＮＢから受信した信号「ＵＥ  ＣＡＰＡＢＩＬＩＴＹ  ＩＮＦＯ  ＩＮＤＩＣＡＴＩＯＮ」において、ＲＲＣプロトコルによって生成された情報要素「ＵＥ  Ｒａｄｉｏ  Ｃａｐａｂｉｌｉｔｙ」を解読するように構成されており、解読した情報要素「ＵＥ  Ｒａｄｉｏ  Ｃａｐａｂｉｌｉｔｙ」及び移動局ＵＥのＩＭＳ  Ｖｏｉｃｅ通信及びＣＳＦＢへの対応の可否について示す情報に基づいて、移動局ＵＥに対して、ＶｏＬＴＥを行うべきか、或いは、ＣＳＦＢを行うべきかを通知するように構成されていることを要旨とする。
【００９５】
なお、上述の移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００９６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢや移動局ＵＥ内に設けられていてもよい。また、かかる記憶媒体及びプロセッサは、ディスクリートコンポーネントとして移動管理ノードＭＭＥや無線基地局ｅＮＢや移動局ＵＥ内に設けられていてもよい。
【００９８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９９】
ｅＮＢ…無線基地局
ＭＭＥ…移動管理ノード
ＵＥ…移動局
１１、２１、３２…送信部
１２、２３、３１…受信部
２２…判定部
１２…位置情報取得部
１４…送信部
【図１】
2012104894.tif 000003
【図２】
2012104894.tif 000004
【図３】
2012104894.tif 000005
【図４】
2012104894.tif 000006
【図５】
2012104894.tif 000007
【図６】
2012104894.tif 000008
【図７】
2012104894.tif 000009
【図８】
2012104894.tif 000010